(57)【特許請求の範囲】
【請求項１】
化粧品アプリケータブラシヘッドであって、該ブラシヘッドは
キャップ付きのロッドに固定されるように適合された基部と、
前記基部から延びる複数の成形タインと
を備え、
前記複数の成形タインのそれぞれが、
前記基部に固定される第1の端部及び反対の自由端を有し、長手方向軸及び前記第1の端部から前記自由端までの長さを定める、主軸、
前記第1の端部と前記自由端との間のある点において、前記主軸の前記長手方向軸に対して5°〜90°の角度で前記主軸から径方向に延びる第1の枝部であって、前記ブラシヘッドを通って定められる長軸に沿って延びる、第1の枝部、並びに
前記主軸上の前記第1の枝部の高さを含む、前記第1の端部と前記第1の枝部との間のある点において前記主軸から延びる第2の枝部であって、前記主軸上の前記第1の枝部と反対であるように、前記長手方向軸に対して5°〜90°の角度で前記主軸から径方向に延びる、第2の枝部を有し、
マスカラ、顔料、染料、毛髪染料、トリートメント並びに他の毛髪、睫毛及び眉毛用の製品のうちの少なくとも一つを載荷、堆積、または混合するように適合され、かつ、睫毛、眉毛又は毛幹をとかして分離させるように適合される、該化粧品アプリケータブラシヘッド。
【請求項２】
前記第1の枝部が前記主軸から第1の径方向に延び、前記第2の枝部が前記主軸から第2の径方向に延びる、請求項1に記載の化粧品アプリケータブラシヘッド。
【請求項３】
前記第2の径方向が、前記第1の径方向の反対である、請求項2に記載の化粧品アプリケータブラシヘッド。
【請求項４】
前記第1の枝部の角度が、前記第2の枝部の角度と同じである、請求項1に記載の化粧品アプリケータブラシヘッド。
【請求項５】
前記第1の枝部の長さが、前記主軸の長さの少なくとも5%である、請求項1に記載の化粧品アプリケータブラシヘッド。
【請求項６】
前記第1の枝部又は前記第2の枝部の少なくとも一つの長さが、前記主軸の長さの少なくとも5%である、請求項1に記載の化粧品アプリケータブラシヘッド。
【請求項７】
前記複数のタインが、シリコンエラストマー、熱可塑性エラストマー、ビニルエラストマー、熱可塑性ポリエステルエラストマー、熱可塑性ポリウレタンエラストマー、ニトリル又はEPDMのうちの一つから選択される材料で作製される、請求項1に記載の化粧品アプリケータブラシヘッド。
【請求項８】
前記複数のタインが、35MPa〜1180MPaの硬度の材料で作製される、請求項1に記載の化粧品アプリケータブラシヘッド。
【請求項９】
前記複数のタインが、95MPa〜570MPaの硬度の材料で作製される、請求項1に記載の化粧品アプリケータブラシヘッド。
【請求項１０】
前記複数のタインが、200MPa〜280MPaの硬度の材料で作製される、請求項1に記載の化粧品アプリケータブラシヘッド。
【請求項１１】
前記複数のタインの平均高さが、0.1mm〜10mmである、請求項1に記載の化粧品アプリケータブラシヘッド。
【請求項１２】
前記複数のタインの平均高さが、0.5mm〜7mmである、請求項1に記載の化粧品アプリケータブラシヘッド。
【請求項１３】
前記複数のタインの平均高さが、0.8mm〜5mmである、請求項1に記載の化粧品アプリケータブラシヘッド。
【請求項１４】
前記複数のタインの平均断面直径が、0.1mm〜2mmである、請求項1に記載の化粧品アプリケータブラシヘッド。
【請求項１５】
前記複数のタインの平均断面直径が、0.2mm〜1.5mmである、請求項1に記載の化粧品アプリケータブラシヘッド。
【請求項１６】
前記複数のタインの平均断面直径が、0.3mm〜0.9mmである、請求項1に記載の化粧品アプリケータブラシヘッド。
【発明の詳細な説明】
【技術分野】
【０００１】
本発明は、成形アプリケータタイン（tine）、及び化粧品又は顔料化合物を毛髪、睫毛又は眉毛などに塗付するためのかかるタインを用いて製造されるアプリケータブラシヘッドに関する。
【背景技術】
【０００２】
マスカラ、顔料、染料、毛髪染料、トリートメント又は他の毛髪、睫毛若しくは眉毛用の製品を塗付する成形タイン、剛毛又は歯を有するブラシヘッドは周知である。
【０００３】
成形タインを有するアプリケータブラシは(例えば、撚線コアの枝部間に固定された繊維剛毛を有するブラシ、又は中実の基部、背骨部、ロッド若しくはコアにある穴にステープルで固定された剛毛のタフトを有するブラシとは対照的に)、一般的に、コア上に一体成形、オーバーモールド(over-mold)された、又は組み立てられたタインのいくつかの列を有する。既知のブラシは、一般的に、ブラシコアの長手方向軸に沿って円形に二重に配置されるタインを有する。換言すると、タインは、コアの長さに沿って、繰り返し径方向に延びるリング状に配置される。隣接するリングにあるタインは、タインの列を形成する。ブラシは、一般的に、6〜12列のタインの列を有する。各列は、複数のタインを有する。一般的に、各タインのプロファイル、形状又は設計は、ブラシヘッド全体にわたって同じである。さらに、各タインの断面は、全体的に円形又は半円形である。
【０００４】
既知の成形タイン付きブラシヘッドの欠点は、例えば、マスカラ又は他の製品を塗付した後に睫毛をとかして分離させる機能の低下である。さらに、成形タイン付きブラシは、例えば、撚線コアのブラシヘッドの繊維と同じ程度まで睫毛の毛幹を把持することができない。
【発明の概要】
【発明が解決しようとする課題】
【０００５】
したがって、マスカラ又は他の製品を塗付した後に睫毛をとかして分離させる機能を向上させた、成形タイン付きブラシヘッドが必要とされている。また、睫毛を把持する機能を向上させた成形タイン付きブラシヘッドが必要とされている。
【課題を解決するための手段】
【０００６】
化粧品アプリケータブラシヘッドは、複数の成形タインを有する。各タインは、主軸、並びに、該軸から延びる第1の枝部及び第2の枝部を有する。第1の枝部は、軸の基部と自由端の間のある点から延びる。第2の枝部は、軸の基部と第1の枝部の間のある点において軸から延びる。第1の枝部及び第2の枝部は、軸の自由端及び長手方向軸に対して5°〜90°の角度で軸から径方向に延びる。
【０００７】
化粧品アプリケータブラシヘッドは、キャップ付きのロッドに固定されるように適合された基部を有する。複数の成形タインが基部から延びる。複数の成形タインのそれぞれは、基部に固定される第1の端部及び反対の自由端を含む主軸を有する。主軸は、長手方向及び第1の端部から自由端までの長さを定める。第1の枝部は、第1の端部と自由端の間のある点において主軸から延びる。第1の枝部は、主軸の自由端及び長手方向に対して5°〜90°の角度で主軸から径方向に延びる。第2の枝部は、軸上の第1の枝部の高さを含む、第1の端部と第1の枝部との間のある点において主軸から延びる。第2の枝部は、自由端及び長手方向軸に対して5°〜90°の角度で主軸から径方向に延びる。ブラシヘッドは、マスカラ、顔料、染料、毛髪染料、トリートメント並びに他の毛髪、睫毛及び眉毛用の製品を載荷、堆積、混合（doctor）するように適合される。ブラシヘッドは、さらに、睫毛、眉毛又は毛幹をとかして分離させるように適合される。
【０００８】
本発明は、さらに、化粧品アプリケータブラシヘッドから延びるタインに関する。タインは、基部に固定されるように適合された第1の端部及び反対の自由端を含む主軸を有する。主軸は、長手方向軸を定め、第1の端部から自由端までの長さを有する。第1の枝部は、第1の端部と自由端の間のある点において主軸から延びる。第1の枝部は、軸の自由端及び長手方向軸に対して5°〜90°の角度で主軸から径方向に延びる。第2の枝部は、軸上の第1の枝部の高さを含む、第1の端部と第1の枝部との間のある点において主軸から延びる。第2の枝部は、軸の自由端及び長手方向軸に対して5°〜90°の角度で軸から径方向に延びる。タインは、マスカラ、顔料、染料、毛髪染料、トリートメント並びに他の毛髪、睫毛及び眉毛用の製品を載荷、堆積、混合するように適合され、また睫毛、眉毛又は毛幹をとかして分離させるように適合される。
【図面の簡単な説明】
【０００９】
【図１】本発明の第1の実施形態の成形タインを有するブラシヘッドを組み込んだマスカラパッケージの正面図及び部分断面図である。
【図２】図1に示される第1の実施形態の成形タインを有するブラシヘッドの斜視図である。
【図３】図1に示される第1の実施形態の成形タインを有するブラシヘッドの正面図である。
【図４】図4は、本発明の成形タインを有するブラシヘッドの第2の実施形態の斜視図である。図4Aは、本発明の枝分かれしたアプリケータタインの拡大図である。
【図５】図4に示される成形タインを有するブラシヘッドの第2の実施形態の正面図である。
【発明を実施するための形態】
【００１０】
次に、図1を参照すると、本発明の第1の実施形態による、成形タインを有する化粧品アプリケータブラシヘッドを組み込んだマスカラパッケージが示されている。パッケージは、製品Pの貯蔵容器6を画成する(断面図で示される)バイアル2を含む。バイアルは、ワイパ4、及びアプリケータ12を受容し製品Pを引き出すための開口10を画成する首部8を有する。アプリケータ12は、首部8上に受容されてバイアル2を密閉するように適合されたキャップ16を含む。キャップの内側には雌ねじ(図示せず)が設けられている。雌ねじは、首部8にある雄ねじ14と対合し、それによってキャップ16がバイアル上に固定される。ロッド18は、キャップに従属し、反対端部において化粧品アプリケータブラシヘッド20を支持する。軸24は、ブラシヘッド20を通って定められる。アプリケータブラシヘッド20は、ロッド18に固定されるように適合された基部26を有する。基部26は、少なくとも一つの成形タイン22、好ましくは複数のタイン22を支持する。成形タイン22は、軸24に対して径方向に基部26から延びる。
【００１１】
明確にするために、「タイン（tine）」は、一般的に、器具から延びるプロングであると理解されよう。「剛毛(bristle)」は、一般的に、堅い毛髪様構造であると理解されよう。「歯」は、一般的に、形状又は機能が、櫛、歯車又はのこぎりなどにある歯に似ている突出部であると理解されよう。本明細書で使用される単数形又は複数形の「タイン」、「剛毛」又は「歯」という用語は、支持する背骨部、ロッド、コア又は基部から延びる任意の細長く、堅いプロング、突起、突出した部分又は構造を示すのに交換可能に使用される。好ましくは、タイン、剛毛及び歯は、マスカラ、顔料、染料、毛髪染料、トリートメント又は他の毛髪、睫毛若しくは眉毛用の製品を載荷、堆積、混合するように適合され、さらに個々の睫毛、眉毛及び毛幹をとかして分離させるように適合される。
【００１２】
図4Aに示されるように、各タイン22は、ブラシヘッド20の基部26に固定される基端すなわち第1の端部34を含む主軸28を有する。軸28は、反対の自由端36を有する。軸は、長手方向軸38を定め、軸28は、第1の端部34から自由端36までの長さを有する。第1の枝部30は、第1の端部34と自由端36の間のある点において軸28から延びる。第1の枝部30は、軸28の自由端36及び長手方向軸38に対して5°〜90°の角度AAで主軸から径方向に延びる。第2の枝部32は、軸28上の第1の枝部30の高さを含む、第1の端部34と第1の枝部30との間のある点において軸28から延びる。第2の枝部32は、自由端36及び長手方向軸38に対して5°〜90°の角度BBで軸28から径方向に延びる。ブラシヘッド20は、マスカラ、顔料、染料、毛髪染料、トリートメント並びに他の毛髪、睫毛及び眉毛用の製品を載荷、堆積、混合するように適合され、また睫毛、眉毛又は毛幹をとかして分離させるように適合される。
【００１３】
図1〜3に示されるように、タイン22の各列は、同じとすることができ、ブラシヘッド20の軸24に沿って円を描くように繰り返して構成される。枝部30、32は、(図示のように)直線状又は曲線状(図示せず)であってよい。各タイン22及び各枝部又は枝部30、32の断面は、ブラシヘッドの所期の目的に適する任意の断面であってよい。枝部30、32は、軸28に沿って、第1の端部に対して同じ高さに分配されても、異なる高さに配置されてもよい。ブラシヘッド20上の隣接するタイン22は、同じ高さに配置された枝部30、32を有することができ、又は異なる高さに配置された枝部30、32を有することもできる。隣接するタイン22の形状、構成及び寸法は、同一であっても、それらのうちの少なくとも一つが異なってもよい。同様に、隣接するタイン22にある枝部30、32の形状、構成及び寸法は、同一であっても、それらのうちの少なくとも一つが異なってもよい。タイン22の各列は、同一のタインを有することができ、又は異なるタイン及び/若しくは異なる枝部を有することもできる。枝分かれしたタインの列と枝部がないタインの列を交互に配置してもよい。或いは、各列のなかで、枝部30、32があるタインと枝部がないタインを交互に配置してもよい。可能な変形及び組み合わせは無限である。
【００１４】
本明細書には、複数のタイン22のそれぞれが第1の枝部30及び第2の枝部32をそれぞれ有する実施形態が記載され図示されているが、ブラシヘッドは、一つ(第1の枝部30)だけしか枝部がないいくつかのタイン及び/又は枝部がまったくないいくつかのタインを含むこともできると理解されよう。ブラシのタイン22のうちの少なくともいくつかが第1の枝部30又は第1の枝部30と第2の枝部32を含む限り、そのブラシについて本発明が実施されることが発明者の意図である。例えば、タインの各列は、本発明の枝分かれしたタインのみを含むことができ、或いは、本発明の枝分かれしたタインと従来の(例えば、枝部がない)タインを混ぜて含むこともできる。
【００１５】
第1の枝部30及び第2の枝部32は、軸24から同方向に延びてもよい。或いは、第1の枝部30が軸24から第1の径方向に延び、第2の枝部32が軸24から第2の径方向に延びてもよい。図示のように、第2の径方向が第1の径方向の反対であってもよい。
【００１６】
長手方向軸38に対する第1の枝部30の角度は、第2の枝部32の角度と同じであっても、第1の枝部30と第2の枝部32の角度が異なってもよい。角度AA、BBは、軸28の自由端36及び長手方向軸38に対して5°〜90°である。第1の枝部30又は第2の枝部32の少なくとも一方の長さは、軸28の長さの少なくとも5%である。
【００１７】
図1〜3に示される本発明の第1の実施形態では、複数のタイン22は、基部26まわりに実質的に360度の構成で径方向に延びるように、等間隔に配列される。或いは、歯の列は、互いにオフセットされてもよい。図4、5に示される本発明の第2の実施形態では、複数のタイン22は、2列に配置され、実質的に、基部26の一方側だけからしか延びない。例証した実施形態は、例に過ぎず、タイン22の数、寸法、及び配列は、特定の手法又は応用目的に適するように選択可能であると理解されよう。
【００１８】
本発明を具現化した複数のタイン22を有するブラシヘッド20を上述したが、本発明は、例えば、図4Aに示されるような個々のタイン22でも実施される。各タイン22は、長手方向軸38を定める主軸28を有する。軸28の第1の端部34は、ブラシヘッド20の基部26に固定されるように適合される。軸28は、反対の自由端36を有する。軸28の長さは、第1の端部34から自由端36まで測定される。第1の枝部30は、第1の端部34と自由端36の間のある点において軸28から延びる。第2の枝部32は、軸28上の第1の枝部30の高さを含む、第1の端部34と第1の枝部30との間のある点において軸28から延びる。第1の枝部30及び第2の枝部32は、軸28の自由端36及び長手方向軸38に対して5°〜90°の角度AA、BBで軸28から径方向にそれぞれ延びる。タイン22は、マスカラ、顔料、染料、毛髪染料、トリートメント並びに他の毛髪、睫毛及び眉毛用の製品のうちの少なくとも一つを載荷、堆積、混合するように適合され、また睫毛、眉毛又は毛幹をとかして分離させるように適合される。
【００１９】
複数のタインであろうと個々のタインであろうと、第1の枝部30は、軸28から第1の径方向に延び、第2の枝部32は、軸28から同じ径方向又は第2の異なる径方向に延びることができる。第2の径方向は、第1の径方向と反対であってよい。第1の枝部30の角度AAは、第2の枝部32の角度BBと同じであっても、第1の枝部30の角度と第2の枝部32の角度が異なってもよい。第1の枝部30又は第2の枝部32の少なくとも一方の長さは、軸28の長さの少なくとも5%であるのが好ましい。
【００２０】
ブラシヘッドのタイン22及びブラシヘッド20は、任意の好適なプラスチック材料の射出成形(又は任意の他の好適な成形手段)により作製することができる。好ましい材料は、例えば、シリコンエラストマー、熱可塑性エラストマー(例えば、スチレンエチレンブチレンスチレンブロックコポリマー-SEBS)、ビニルエラストマー(EVA)、熱可塑性ポリエステルエラストマー(例えば、デュポンドヌムール(DuPont de Nemours)社のハイトレル(Hytrel)(登録商標))、熱可塑性ポリウレタンエラストマー(ダウプラスチック(Dow Plastic)社のペレタン(pelethane)(登録商標))、ニトリル又はEPDMを含むポリマーなどである。材料の硬度は、好ましくは、約35MPa(デュポンドヌムール(DuPont de Nemours)社のハイトレル(Hytrel)(登録商標)はショアD硬度35)から約1180MPa(デュポンドヌムール(DuPont de Nemours)社のハイトレル(Hytrel)(登録商標)はショアD硬度82)である。より好ましくは、引張係数は、約95MPa(デュポンドヌムール(DuPont de Nemours)社のハイトレル(Hytrel)(登録商標)はショアD硬度45)から約570MPa(デュポンドヌムール(DuPont de Nemours)社のハイトレル(Hytrel)(登録商標)はショアD硬度72)である。最も好ましくは、引張係数は、約200MPa(デュポンドヌムール(DuPont de Nemours)社のハイトレル(Hytrel)(登録商標)はショアD硬度55)から約280MPa(デュポンドヌムール(DuPont de Nemours)社のハイトレル(Hytrel)(登録商標)はショアD硬度63)である。
【００２１】
タイン22は、例えば、毛髪、眉毛又は睫毛への塗付、その整列及び/又は分離である所期の目的及び機能に適した任意の寸法、形状及び間隔を有することができる。タイン22の平均高さは、好ましくは、約0.1mm〜約10mmであるが、そうでなくともよい。タイン22の平均高さは、より好ましくは、約0.5mm〜約7mm、最も好ましくは、約0.8mm〜約5mmである。タイン22の平均断面直径は、好ましくは、約0.1mm〜約2mmである。タインの断面直径は、より好ましくは、約0.2mm〜約1.5mm、最も好ましくは、約0.3mm〜約0.9mmである。
【００２２】
本発明のブラシヘッド及びタインは、例えば、液体又はゲル状のどちらかのマスカラ、睫毛処方物(例えば顔料、毛髪染料、染料、トリートメント、シーラ、ビルダ(builder)、ボリューム仕上げ剤など)及び眉毛処方物などを含む、睫毛、眉毛又は毛髪用の任意の化粧品又はトリートメント製品の塗付に使用可能である。
【００２３】
本発明を好ましい構造形態に具現化して説明し図示してきたが、以下にある特許請求の範囲で示される本発明の精神及び範囲から逸脱することなく、部品の構造及び構成において様々な修正を行うことができると理解されよう。
【図１】
0005845346.tif 000002
【図２】
0005845346.tif 000003
【図３】
0005845346.tif 000004
【図４】
0005845346.tif 000005
【図５】
0005845346.tif 000006